(57)【要約】【課題】中継用コネクタとブラケットの支持構造を簡単化でき、中継用コネクタの位置調整が可能で、かつ中継用コネクタの傾きを抑制する。【解決手段】中継用コネクタ１を支持するブラケット５は、基板５１と、基板５１の両端から鉛直に延びる一対の側板５２，５３とを有して形成され、中継用コネクタ１のコネクタハウジング４は、外周面にブラケットの基板と一対の側板にそれぞれ対向するブラケット係合部１１，１２，１３が形成され、基板又は側板とブラケット係合部とが対向する部位の一方に平形の係止爪（５１ａ，５２ａ，５３ａ）／（１１ｄ，１２ｄ，１３ｄ）が形成され、他方に係止爪が挿入される溝（１１ｂ，１２ｂ，１３ｂ）／（５１ｃ，５２ｃ，５３ｃ）が形成され、係止爪と溝はコネクタハウジングの筒軸に直交する方向に延在して形成されていることを特徴とする。【選択図】  図１
2015185411.tif 000002
【特許請求の範囲】
【請求項１】
互いに接続する一対のコネクタが両端から挿入される筒状のコネクタハウジングを有し、該コネクタハウジングがブラケットを介して着脱自在に支持される中継用コネクタであって、
前記ブラケットは、基板と、該基板の両端から鉛直に延びる一対の側板とを有して形成され、
前記コネクタハウジングは、外周面に前記ブラケットの前記基板と前記一対の側板にそれぞれ対向するブラケット係合部が形成され、
前記基板又は前記側板と前記ブラケット係合部とが対向する部位の一方に平形の係止爪が形成され、他方に前記係止爪が挿入される溝が形成され、前記係止爪と前記溝は前記コネクタハウジングの筒軸に直交する方向に延在して形成されてなることを特徴とする中継用コネクタ。
【請求項２】
前記係止爪は、前記基板と前記一対の側板のそれぞれの一方の辺部の少なくとも一部を前記ブラケット係合部に向けて折り曲げ形成され、
前記溝は、前記一対の側板に対向する前記ブラケット係合部の全長に亘って形成されてなることを特徴とする請求項１に記載の中継用コネクタ。
【請求項３】
前記溝は、前記基板と前記一対の側板のそれぞれの一部に形成された有底又は無底の溝であり、
前記係止爪は、前記ブラケット係合部から前記溝に向けて突出され、
前記一対の側板に対向する前記係止爪は、前記溝の長手方向の両端に向かって爪高さが漸減する傾斜面を有して形成されていることを特徴とする請求項１に記載の中継用コネクタ。
【請求項４】
前記ブラケットは、前記一対の側板に矩形の係止穴が形成され、
前記コネクタハウジングは、前記一対の側板の前記係止穴に対応する前記ブラケット係合部に、前記係止穴に係止する係止突起が形成され、該係止突起は前記係止穴の前記側板の先端側の縁に係止する形状に形成されていることを特徴とする請求項２に記載の中継用コネクタ。
【発明の詳細な説明】
【技術分野】
【０００１】
本発明は、コネクタ同士を中継接続する中継用コネクタに係り、具体的には中継用コネクタの支持構造の技術に関する。
【背景技術】
【０００２】
例えば、自動車等の車両に配策されるワイヤーハーネス等の電気配線においては、金属製のケース内に収容された電装品に電線で接続されたコネクタと、ケース外部の電源又は制御器等の電装品に電線で接続されたコネクタとを、中継用コネクタを介して接続することが行われる(例えば、特許文献１)。同文献には、金属製のケース内に収容された例えば自動変速機（Ａ／Ｔ）の電気配線と、外部の電気配線との接続部に用いる中継用コネクタが提案されている。
【０００３】
この種の中継用コネクタは、例えば、ケース内に収容された電装品に電線で接続されたコネクタが一端に嵌合される筒状のコネクタハウジングを有し、そのコネクタハウジングの他端をケースに設けられた貫通穴から外部に突出させて、金属製のブラケットによりケース内にコネクタハウジングを支持するようになっている。コネクタハウジングを支持するブラケットは、中継用コネクタを着脱できるようになっている。また、中継用コネクタをブラケットに組み付ける際に、中継用コネクタの軸心をケースの貫通穴に容易に位置合せでき、あるいは周辺の他の部品との干渉を避けることが要望されている。
【０００４】
この点、特許文献１に記載された中継用コネクタは、ブラケットに対して中継用コネクタの位置を前後、左右及び上下方向に調整可能に支持しているから、中継コネクタの組み付け作業における周辺の他の部品との干渉を回避して、位置合わせすることができる。また、電線から加えられるテンションによって、電線が接続されたコネクタが嵌合された中継用コネクタが所定位置から斜めに傾いても、容易に中継用コネクタの向きを補正して組み付け作業を行うことができる。
【先行技術文献】
【特許文献】
【０００５】
【特許文献１】特開２００９−２７２２２６号公報
【発明の開示】
【発明が解決しようとする課題】
【０００６】
しかし、特許文献１に記載の中継用コネクタをブラケットに支持させる支持構造が複雑である。
【０００７】
発明が解決しようとする課題は、中継用コネクタとブラケットの支持構造を簡単化でき、中継用コネクタの位置調整が可能で、かつ中継用コネクタの傾きを抑制することができる中継用コネクタを提供することにある。
【課題を解決するための手段】
【０００８】
上記の課題を解決するため、本発明の中継用コネクタは、互いに接続する一対のコネクタが両端から挿入される筒状のコネクタハウジングを有し、該コネクタハウジングがブラケットを介して着脱自在に支持される中継用コネクタであり、前記ブラケットは、基板と、該基板の両端から鉛直に延びる一対の側板とを有して形成され、前記コネクタハウジングは、外周面に前記ブラケットの前記基板と前記一対の側板にそれぞれ対向するブラケット係合部が形成され、前記基板又は前記側板と前記ブラケット係合部とが対向する部位の一方に平形の係止爪が形成され、他方に前記係止爪が挿入される溝が形成され、前記係止爪と前記溝は前記コネクタハウジングの筒軸に直交する方向に延在して形成されていることを特徴とする。
【０００９】
このように構成されることから、本発明の中継用コネクタによれば、次に述べる作用により、本発明の課題を解決することができる。例えば、ブラケット係合部に溝を形成し、ブラケットに係止爪を形成した場合、ブラケットの基板と一対の側板の内面にそれぞれ形成された３つの係止爪が、これらに対応させてブラケット係合部にそれぞれ形成された３つの溝に、それぞれ挿入される。これにより、中継用コネクタは、３つの溝と、これに挿入される３つの係止爪との係合によりブラケットに３点で支持される。特に、溝の底面と係止爪の先端との間に形成される隙間により、中継用コネクタの軸に直交する２軸(例えば、Ｘ、Ｙ)方向の位置を調整できる。また、平形の係止爪の両面と溝の溝壁との間に形成される隙間により、中継用コネクタの軸（Ｚ）方向の位置を調整できる。さらに、基盤と側板に形成された３つの係止爪と、コネクタハウジング側に形成された３つの溝との係合により、中継用コネクタに対するブラケットの側板の傾きが抑制される。また、側板に形成された平形の係止爪の両面と、溝の溝壁との間に形成される隙間により、ブラケットの側板の傾きが抑制される。これらにより、ブラケットに対する中継用コネクタの軸の傾きを抑制することができる。
【００１０】
同様に、ブラケット係合部に係止爪を形成し、ブラケットに溝を形成した場合も、ブラケット係合部に形成された３つの係止爪が、これらに対応させてブラケットの基板と一対の側板の内面にそれぞれ形成された３つの溝にそれぞれ挿入される。これにより、中継用コネクタは、ブラケット形成された３つの溝と、この溝に挿入されるブラケット係合部の３つの係止爪の係合によってブラケットに支持される。したがって、上述と同様に、中継用コネクタの位置調整が可能で、かつ中継用コネクタの傾きを抑制することができる。
【００１１】
ここで、一対の側板に対向するブラケット係合部に形成する溝は、前記ブラケット係合部の全長に亘って形成されてなることが望ましい。これによれば、ブラケットの一対の側板に形成された係止爪の位置に、ブラケット係合部に形成された溝の端を合わせて、コネクタハウジングをブラケットの基板方向に押し込むことにより、中継用コネクタを容易にブラケットに組み付けることができる。
【００１２】
また、溝は、基板と一対の側板のそれぞれの一部に形成された有底又は無底の溝とすることができる。この場合、係止爪は、ブラケット係合部から溝に向けて突出され、一対の側板に対向する係止爪は、溝の長手方向の両端に向かって爪高さが漸減する傾斜面 (例えば、円弧状、多角形又は台形の傾斜面)を有して形成することができる。これによれば、ブラケット係合部に形成された係止爪と、ブラケットの一対の側板に形成された溝の位置を合わせた後、コネクタハウジングを基板側に押し込む。これにより、一対の側板の先端が係止爪の傾斜面に乗り上げ、一対の側板が開いて係止爪が溝に係合されるから、中継用コネクタを容易にブラケットに組み付けることができる。なお、一対の側板の先端の内面に係止爪を溝に誘導する傾斜面を有する誘導溝を形成することができる。
【発明の効果】
【００１３】
本発明によれば、中継用コネクタとブラケットの支持構造を簡単化でき、中継用コネクタの位置調整が可能で、かつ中継用コネクタの傾きを抑制することができる。
【図面の簡単な説明】
【００１４】
【図１】本発明の実施例１の中継用コネクタの外観斜視図であり、(ａ)は分解図、(ｂ)は組み付け状態を装着方向から見た図、(ｃ)はその背面側から見た図である。
【図２】実施例１の中継用コネクタの位置調整を説明する外観斜視図である。
【図３】実施例１の中継用コネクタの位置調整範囲を説明する図である。
【図４】本発明の実施例２の中継用コネクタの外観斜視図であり、(ａ)は分解図、(ｂ)は組み付け状態を装着方向から見た図、(ｃ)はその背面側から見た図である。
【図５】実施例２の中継用コネクタの位置調整を説明する外観斜視図である。
【図６】実施例２の中継用コネクタの位置調整範囲を説明する図である。
【発明を実施するための形態】
【００１５】
以下、本発明を実施例に基づいて説明する。
【実施例１】
【００１６】
図１に示すように、本発明の実施例１の中継用コネクタ１は、金属製のケース内に収容された電装品（例えば、Ａ／Ｔのソレノイドバルブ等）に用いられるものである。図１（ａ）に示すように、本実施例１の中継用コネクタ１は、図示していない金属製ケース内に収容された電装品にワイヤーハーネスを構成する電線群２で接続されたコネクタ３が一端に挿入される筒状のコネクタハウジング４を備えて構成されている。このコネクタハウジング４は、他端を図示していないケースに設けられた貫通穴から外部に突出させて、ケース内にブラケット５を介して着脱可能に支持されている。
【００１７】
本実施例の場合、コネクタ３は油中側雌コネクタであり、中継用コネクタ１を介して図示していないケース外部の電源又は制御器等に電線で接続された他のコネクタと接続されるようになっている。しかし、本発明の中継用コネクタ１は上述した用途に限られるものではなく、互いに接続される２つのコネクタを中継して接続する用途に適用できることは言うまでもない。
【００１８】
次に、本発明の特徴である中継用コネクタ１の支持構造について具体的に説明する。本実施例の中継用コネクタ１は、概ね円筒状に形成されたコネクタハウジング４を備えて形成されている。コネクタハウジング４内には、図に現れていないが中継用端子が設けられている。コネクタハウジング４の図において下端側の外周面に、中継用コネクタ１の軸を挟んだ軸対称位置に２つのブラケット係合部１２、１３が形成され、これらのブラケット係合部１２、１３からコネクタハウジング４の外周面の位相が９０°ずれた位置に１つのブラケット係合部１１が設けられている。
【００１９】
ブラケット係合部１２、１３は、コネクタハウジング４の円弧状の外周面に矩形の平坦面を形成する平板部材１２ａ，１３ａを設けて形成されている。また、平板部材１２ａ，１３ａの平坦面には、中継用コネクタ１の軸に直交する方向に延在する溝１２ｂ，１３ｂ（不図示）が形成され、さらに係止突起１２ｃ，１３ｃ（不図示）が形成されている。一方、ブラケット係合部１１には、コネクタハウジング４の円弧状の外周面に、中継用コネクタ１の軸に直交する方向に延在する溝１１ｂを有して形成されている。
【００２０】
ブラケット５は、基板５１と、基板５１の両端から基板５１の面に対して鉛直に延びる一対の側板５２，５３とを有して形成されている。また、基板５１はブラケット係合部１１に対向させて、一対の側板５２，５３はそれぞれブラケット係合部１２，１３に対向させて形成されている。基板５１と側板５２，５３の上辺部の一部に、つまり基板５１と側板５２，５３の折り曲げ角部を除いた上縁部に、ブラケット係合部１１、１２、１３に向けて、それぞれ折り曲げ形成された平形の係止爪５１ａ、５２ａ，５３ａが設けられている。これらの係止爪５１ａ、５２ａ，５３ａは、対応するブラケット係合部１１，１２，１３に設けられた溝１１ｂ、１２ｂ，１３ｂに挿入可能に形成されている。
【００２１】
さらに、側板５２，５３には、ブラケット係合部１２、１３の係止突起１２ｃ，１３ｃに対向する位置に、それぞれ矩形の係止穴５２ｂ，５３ｂが設けられている。それらの係止穴５２ｂ，５３ｂに係止突起１２ｃ，１３ｃが挿入されるようになっている。
【００２２】
ここで、ブラケット係合部１２、１３の係止突起１２ｃ，１３ｃの一対の側板５２，５３の延在方向の先端側の突起面は、ブラケット係合部１２，１３の平板部材１２ａ，１３ａの平坦面に対して鉛直に形成され、基板５１側の突起面は基板５１側に向かって突起高さが低くなる傾斜面として形成されている。また、図１において、符号６はリング状の防水パッキンであり、図示していない電装品が収容されたケースから外部に突出させる貫通穴とコネクタハウジング４との隙間をシールするようになっている。
【００２３】
このように構成される実施例１の中継用コネクタ１を、ブラケット５に組み付ける動作について説明する。例えば、中継用コネクタ１に電線群２が接続されたコネクタ３を嵌合し、次いで、中継用コネクタ１にブラケット５を組み付け、その後ブラケット５を所定の位置に支持させることができる。あるいは、所定の位置に支持されたブラケット５に、コネクタ３が嵌合された中継用コネクタ１をブラケット５に組み付けることもできる。中継用コネクタ１とブラケット５の組み付けは、ブラケット係合部１２，１３に形成された溝１２ｂ，１３ｂの一端に、ブラケット５の一対の側板５２，５３に形成された係止爪５２ａ、５３ａの位置を合わせる。そして、中継用コネクタ１とブラケット５を、図示の矢印Ｘ方向に相互に移動して、溝１２ｂ，１３ｂ内に係止爪５２ａ、５３ａを摺動させて挿入する。
【００２４】
そして、基板５１に対応したブラケット係合部１１に形成された溝１１ｂに、基板５１の係止爪５１ａを挿入する。この過程で、一対の側板５２，５３がブラケット係合部１２，１３の係止突起１２ｃ，１３ｃの傾斜面に乗り上げる。これにより、一対の側板５２，５３の間隔が広がるが、係止突起１２ｃ，１３ｃが側板５２，５３の係止穴５２ｂ、５３ｂに進入すると、一対の側板５２，５３の弾性により復帰して、係止突起１２ｃ，１３ｃの側板５２，５３の延在方向の先端側の突起面が係止穴５２ｂ、５３ｂの開口縁に係止する。これにより、中継用コネクタ１がブラケット５に係合され、中継用コネクタ１がブラケット５から抜け出るのが防止される。
【００２５】
次に、このようにブラケット５に組み付けられた中継用コネクタ１の支持構造により、中継用コネクタ１の位置調整が可能で、かつ中継用コネクタ１の傾きを抑制する作用について図２、図３を参照して説明する。図２に示すように、ブラケット５に対する中継用コネクタ１の直交３軸の位置調整方向を、奥行き方向Ｘ、左右方向Ｙ，上下方向Ｚとする。図３に、溝と、溝に係合される係止爪との配置及び寸法関係を示す。なお、図３は、設計基準位置における配置及び寸法関係を示している。
【００２６】
図３（ａ）は、図２（ｂ）の矢印２１方向から見た溝１１ｂと係止爪５１ａとの配置及び寸法関係を示している。溝１１ｂの底面と係止爪５１ａの先端との間に形成される隙間ｘ１により、Ｘ方向の調芯（中継用コネクタ１の軸心の調整）が可能である。また、図３（ｂ）は、図２（ｂ）の矢印２２方向から見た溝１２ｂ，１３ｂと係止爪５２ａ，５３ａとの配置及び寸法関係を示している。溝１２ｂ，１３ｂの底面と係止爪５２ａ，５３ａの先端との間に形成される隙間ｙ１，ｙ２により、Ｙ方向の調芯（中継用コネクタ１の軸心の調整）が可能である。
【００２７】
また、図３（ｃ）は、図２（ｂ）の矢印２１方向から見た溝１１ｂと係止爪５１ａとの配置及び寸法関係、及び溝１２ｂと係止爪５２ａとの配置及び寸法関係を示している。なお、溝１３ｂと係止爪５３ａとの配置及び寸法関係は、図３（ｃ）に現れていないが、溝１２ｂと係止爪５２ａとの配置及び寸法関係と同様である。図３（ｃ）に示すように、溝１１ｂの上下の溝壁と係止爪５１ａの両面との間に形成される隙間ｚ１、ｚ２により、Ｚ方向の調芯（中継用コネクタ１のＺ方向の位置調整）が可能である。同様に、溝１２ｂの上下の溝壁と係止爪５２ａの両面との間に形成される隙間ｚ３，ｚ４により、Ｚ方向の調芯が可能である。
【００２８】
さらに、中継用コネクタ１の傾きの抑制及び上下方向の沈み込み量の制限について説明する。図２（ｂ）に示すように、電線群２に図示矢印２３方向の引っ張り力が作用すると、中継用コネクタ１はＺ軸に対してブラケット５の基板５１側に傾く。この傾き角度は、図３（ｃ）の隙間ｚ１，ｚ２と、隙間ｚ３，ｚ４に依存して決まる。特に、側板５２（５３）が噛み合う溝１２ｂ（１３ｂ）の溝長Ｌと隙間ｚ３，ｚ４により、側板５２（５３）に対するコネクタハウジング４の傾き角度が決まる。したがって、係止爪５２ａの爪幅を長くし、かつ溝１２ｂ（１３ｂ）の溝長Ｌを長くすることによって、電線群２に図示矢印２３方向の引っ張り力が作用しても、中継用コネクタ１の傾き角度を抑制することができる。また、図３（ｃ）の隙間ｚ１，ｚ２と、隙間ｚ３，ｚ４により、上下（Ｚ）方向の沈み込み量を制限することができる。
【００２９】
本実施例１によれば、ブラケット５を、基板５１と、その基板５１の両端から鉛直に延びる一対の側板５２，５３とを有するものとし、基板５１と一対の側板５２，５３のそれぞれの一方の辺部（上辺部）の少なくとも一部を、コネクタハウジング４のブラケット係合部５１〜５３に向けて折り曲げて平形の係止爪５１ａ〜５３ａを形成してなる簡単な構成とすることができる。さらに、コネクタハウジング４は、外周面にブラケット５の基板５１と一対の側板５２，５３にそれぞれ対向するブラケット係合部１１〜１３を形成し、  それらのブラケット係合部１１〜１３にブラケット５の係止爪５１ａ〜５３ａが挿入される溝１１ｂ〜１３ｂを形成した簡単な構成とすることができる。その結果、本実施例１によれば、中継用コネクタ１とブラケット５の支持構造を簡単化でき、中継用コネクタ１の位置調整が可能で、かつ中継用コネクタ１の傾き及び沈み込み量を抑制乃至制限することができる。
【００３０】
また、本実施例１によれば、ブラケット５の一対の側板５２，５３に矩形の係止穴５２ｂ、５３ｂを形成し、これらの係止穴５２ｂ、５３ｂに対向するブラケット係合部１２，１３に係止突起１２ｃ（１３ｃ）を形成したことから、ブラケット５から中継用コネクタ１が抜け出るのを防止することができる。
【００３１】
なお、実施例１のブラケット係合部１１は、コネクタハウジング４の円筒状の外周面に溝１１ｂを形成している。これは、図３の位置の調整で説明したように、基板５１の係止爪５１ａとブラケット係合部１１の溝１１ｂとの係合長さは短くても十分に機能するからである。また、これにより中継コネクタ１とブラケット５のＸ軸方向の組み付け寸法を小さく抑えることができ、組み付け体を小型化できる。しかし、これに代えて、ブラケット係合部１２，１３と同様に、矩形の平坦面を形成する平板部材を設けることができることは言うまでもない。
【実施例２】
【００３２】
図４（ａ）〜（ｃ）に、実施例１と同様に、本発明の実施例２の中継用コネクタ１の外観斜視図を示す。本実施例２が実施例１と相違する点は、コネクタハウジング４のブラケット係合部１１〜１３とブラケット５を係合する平形の係止爪と、この係止爪が挿入される溝を互いに入れ替えたことにある。その他の構成は、実施例１と同様であることから、実施例１と同一の符号を付して説明を省略する。
【００３３】
図４に示すように、ブラケット５は、実施例１と同様に、基板５１と、基板５１の両端から鉛直に延びる一対の側板５２，５３とを有して形成されている。また、コネクタハウジング４は、円筒状の外周面にブラケット５の基板５１と一対の側板５２，５３にそれぞれ対向するブラケット係合部１１、１２，１３が形成されている。本実施例２では、基板５１と側板５２，５３に、矩形の溝５１ｃ、５２ｃ，５３ｃがそれぞれ形成され、溝５１ｃ、５２ｃ，５３ｃに無底の溝、つまりそれぞれの板材を貫通する矩形の開口として形成されている。しかし、基板５１と側板５２，５３の板厚が厚い場合は、有底の溝とすることができる。
【００３４】
これらの溝５１ｃ、５２ｃ，５３ｃに対向させて、本実施例２では、ブラケット係合部１１、１２，１３に平形の係止爪１１ｄ，１２ｄ，１３ｄがそれぞれ形成されている。これらの係止爪１１ｄ，１２ｄ，１３ｄと溝５１ｃ、５２ｃ，５３ｃは，コネクタハウジング４の筒軸に直交する方向に延在して形成されている。特に、一対の側板５２，５３に対向する係止爪１２ｄ，１３ｄは、対応する溝５２ｃ，５３ｃの長手方向の両端に向かって爪高さが漸減する傾斜面を有して形成されている。図示例の係止爪１２ｄ，１３ｄは、円弧状の傾斜面に形成されているが、これに限らず、台形状の傾斜面とすることができる。なお、基板５１の溝５１ｃに対応するブラケット係合部１１の係止爪１１ｄは、溝の両端に向かって均等な爪高さに形成されているが、円弧状又は台形状に形成してもよい。また、一対の側板５２，５３の先端の内面に、係止爪１２ｄ，１３ｄを溝５２ｃ，５３ｃに円滑に進入させるために、傾斜面を有する誘導溝５２ｄ，５３ｄが形成されている。
【００３５】
このように構成される実施例２の中継用コネクタ１を、ブラケット５に組み付ける動作について説明する。基本的な組み付け手順は実施例１と同様であることから、実施例２に特有の点について説明する。中継用コネクタ１のブラケット係合部１２，１３に形成された係止爪１２ｄ，１３ｄの一端に、ブラケット５の一対の側板５２，５３に形成された誘導溝５２ｄ，５３ｄの位置を合わせる。そして、中継用コネクタ１とブラケット５を、図示の矢印Ｘ方向に相互に移動すると、一対の側板５２，５３が係止爪１２ｄ，１３ｄの円弧状の傾斜面に乗り上げて、側板５２，５３の弾性変形により対向間隔が開く。さらに中継用コネクタ１を基板５１側に押し込むことによって、係止爪１２ｄ，１３ｄが溝１２ｄ，１３ｄ内に挿入され、一対の側板５２，５３は復帰する。このとき、ブラケット係合部１１の係止爪１１は基板５１に形成された溝５１に挿入される。これにより、中継用コネクタ１がブラケット５に支持される。
【００３６】
次に、実施例２の中継用コネクタ１とブラケット５の支持構造により、中継用コネクタ１の位置調整と、中継用コネクタ１の傾きを抑制する作用について図５、図６を参照して説明する。図５（ａ），（ｂ）は、中継用コネクタ１とブラケット５の係合状態を示す斜視図である。図６に、溝１１ｄ、１２ｄ，１３ｄに係合される係止爪１１ｄ、１２ｄ、１３ｄとの配置と寸法関係の平面図を示す。なお、同図は、設計基準位置における配置と寸法関係を示している。
【００３７】
図６（ａ）は、図５（ａ）の線２４−２４で切断した断面における溝５２ｃと係止爪１２ｄの配置と寸法関係を示す図である。同図において、長溝に形成された溝５２ｃの両端の壁面５２ｄ、５２ｄと、溝５２ｃが形成された側板５２の背面（内面）と係止爪１２ｄの傾斜面が当接する仮想位置との間に形成される隙間ｘ２、ｘ３により、Ｘ方向の調芯（中継用コネクタ１の軸心の調整）が可能である。また、図６（ｂ）は、図５（ｂ）の矢印２５方向から見た溝５１ｃと係止爪１１ｄとの配置と寸法関係を示す図である。基板５１の背面側において係止爪１１ｄの長手方向の端面との間に形成される隙間ｙ３，ｙ４により、Ｙ方向の調芯（中継用コネクタ１の軸心の調整）が可能である。
【００３８】
また、図６（ｃ）は、図５（ｂ）の矢印２１方向から見た溝５２ｃと係止爪１２ｄとの配置と寸法関係を示している。溝５２ｃの上下の溝壁と係止爪１２ｄの両面との間に形成される隙間ｚ５、ｚ６により、Ｚ方向の調芯（中継用コネクタ１のＺ方向の位置調整）が可能である。同様に、図６（ｄ）に示すように、溝５１ｃの上下の溝壁と係止爪１１ｄの両面との間に形成される隙間ｚ７，ｚ８により、Ｚ方向の調芯が可能である。なお、溝５３ｃと係止爪１３ｄとの配置と寸法関係は図示していないが、図６（ｂ）、（ｄ）と同様である。
【００３９】
また、中継用コネクタ１の傾きの抑制及び上下方向の沈み込み量の制限についても、基本的に実施例１と同様である。すなわち、図６（ｂ）に示すように、電線群２に図示矢印２３方向の引っ張り力が作用すると、中継用コネクタ１はＺ軸に対してブラケット５の基板５１側に傾く。この傾き角度は、図６（ｃ）の係止爪１２ｄの上面が溝５２ｃの上の溝壁に当接することにより抑制される。このとき、同図（ｄ）に示す係止爪１１ｄは基板５１の溝５１ｃの下の溝壁に当接する。したがって、電線群２に図示矢印２３方向の引っ張り力が作用しても、中継用コネクタ１の傾き角度を抑制することができる。また、図６（ｃ）、（ｄ）の隙間ｚ５〜ｚ８に依存して、中継用コネクタ１の上下（Ｚ）方向の沈み込み量を制限することができる。
【００４０】
本実施例２によれば、実施例１と同様、ブラケット５とコネクタハウジング４との支持構造を簡単な構成とすることができ、中継用コネクタ１の位置調整が可能で、かつ中継用コネクタ１の傾き及び沈み込み量を抑制乃至制限することができる。
【００４１】
また、本実施例２によれば、ブラケット５の一対の側板５２，５３に矩形の溝５２ｃ、５３ｃを形成し、これらの溝５２ｃ、５３ｃに対向するブラケット係合部１２，１３に円弧状の係止爪１２ｄ、１３ｄを形成したことから、ブラケット５から中継用コネクタ１が抜け出る方向の力が作用したとき、図６（ａ）において、溝５２ｃ（又は５３ｃ）の溝壁５２ｄ（又は５３ｄ）が係止爪１２ｄ（又は１３ｄ）に当接し、ブラケット５から中継用コネクタ１が抜け出るのを防止することができる。
【００４２】
また、実施例１，２によれば、中継用コネクタ１の位置調整が一定の範囲で可能であることから、例えば、図示していないケースに形成された貫通穴に中継用コネクタ１を挿入する作業が容易になる。しかも、中継用コネクタ１がブラケット５から外れにくいので、気遣いが多い組み付け作業時の気遣いを減らし、作業能率を向上することができる。
【００４３】
以上、本発明を実施例に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００４４】
１  中継用コネクタ
２  電線群
４  コネクタハウジング
５  ブラケット
１１、１２、１３  ブラケット係合部
１１ｂ、１２ｂ、１３ｂ  溝
１１ｄ、１２ｄ、１３ｄ  係止爪
１２ｃ  係止突起
５１  基板
５２，５３  側板
５１ａ，５２ａ、５３ａ  係止爪
５１ｃ、５２ｃ、５３ｃ  溝
５２ｂ、５３ｂ  係止穴
【図１】
2015185411.tif 000003
【図２】
2015185411.tif 000004
【図３】
2015185411.tif 000005
【図４】
2015185411.tif 000006
【図５】
2015185411.tif 000007
【図６】
2015185411.tif 000008